(57)【要約】【課題】本発明は、異なる種類の信号を同時に伝送できるコネクタアセンブリを提供することを目的とする。【解決手段】本発明に係るコネクタアセンブリは、外表面を有するコネクタプラグ及び内表面を有するコネクタソケットを備える。外表面は、絶縁領域によって離間した少なくとも２つの領域を含み、各領域には、一種の信号を伝送するための複数のプラグ信号伝送線が設けられ、内表面は、絶縁部分によって離間した少なくとも２つの部分を含み、各部分には、対応する領域の複数のプラグ信号伝送線とそれぞれ接続する複数のソケット信号伝送線が設けられ、コネクタプラグがコネクタソケットに挿入された場合、外表面の各領域のプラグ信号伝送線は、内表面の対応する部分のソケット信号伝送線に接続されて、信号を伝送する。【選択図】図１
2013225512.tif 000002
【特許請求の範囲】
【請求項１】
外表面を有するコネクタプラグ及び内表面を有するコネクタソケットを備えるコネクタアセンブリにおいて、
前記外表面は、少なくとも２つの領域を含み、前記少なくとも２つの領域は、絶縁領域によって離間し、各領域には、一種の信号を伝送するための複数のプラグ信号伝送線が設けられ、前記複数のプラグ信号伝送線は、複数の直径が異なる同心円であり、
前記内表面は、少なくとも２つの部分を含み、前記少なくとも２つの部分は、絶縁部分によって離間し、各部分には、対応する前記領域の複数のプラグ信号伝送線とそれぞれ接続する複数のソケット信号伝送線が設けられ、前記複数のソケット信号伝送線は、複数の直径が異なる同心円であり、
前記コネクタプラグが前記コネクタソケットに挿入された場合、前記外表面の各領域のプラグ信号伝送線が、前記内表面の対応する前記部分のソケット信号伝送線に接続されて、信号を伝送することを特徴とするコネクタアセンブリ。
【請求項２】
前記少なくとも２つの領域は、第一領域及び第二領域を含み、前記第一領域には、第一種信号を伝送するための複数のプラグ第一信号伝送線が設けられ、前記第二領域には、第二種信号を伝送するための複数のプラグ第二信号伝送線が設けられ、前記第一種信号と前記第二種信号とは異なることを特徴とする請求項１に記載のコネクタアセンブリ。
【請求項３】
前記少なくとも２つの部分は、第一部分及び第二部分を含み、前記第一部分には、前記第一種信号を伝送するための複数のソケット第一信号伝送線が設けられ、前記第二部分には、前記第二種信号を伝送するための複数のソケット第二信号伝送線が設けられ、前記第一種信号と前記第二種信号とは異なることを特徴とする請求項２に記載のコネクタアセンブリ。
【発明の詳細な説明】
【技術分野】
【０００１】
本発明は、コネクタアセンブリに関し、特に複数の信号を同時に伝送できるコネクタアセンブリに関するものである。
【背景技術】
【０００２】
各種の信号を伝送するために、コンピュータには各種のコネクタが設けられている。前記各種のコネクタの例としては、映像信号を伝送するためのＡＧＰコネクタ、音声信号を伝送するためのオーディオコネクタ、ＵＳＢに対して信号を伝送するためのＵＳＢコネクタ等が挙げられる。また、コンピュータに接続される外部設備には、これらに対応するコネクタが設けられている。前記外部設備をコンピュータに接続する場合、異なる信号線を介してこれらコネクタ同士を接続させる。これにより、コンピュータと外部設備とは、異なる信号を送受信する。
【０００３】
しかし、上述したように、複数の信号を送受信するためには、コンピュータ及び外部設備に複数のコネクタをそれぞれ設けなければならず、製造コストが高くなるだけでなく、コンピュータ又は外部設備における占有空間も大きくなるため、コンピュータ又は外部設備の小型化、薄型化に不利である。
【発明の概要】
【発明が解決しようとする課題】
【０００４】
以上の問題点に鑑みて、本発明は、異なる種類の信号を伝送できるコネクタアセンブリを提供することを目的とする。
【課題を解決するための手段】
【０００５】
前記課題を解決するために、本発明に係るコネクタアセンブリは、外表面を有するコネクタプラグ及び内表面を有するコネクタソケットを備える。前記外表面は、少なくとも２つの領域を含み、前記少なくとも２つの領域は、絶縁領域によって離間し、各領域には、一種の信号を伝送するための複数のプラグ信号伝送線が設けられ、前記複数のプラグ信号伝送線は、複数の直径が異なる同心円であり、前記内表面は、少なくとも２つの部分を含み、前記少なくとも２つの部分は、絶縁部分によって離間し、各部分には、対応する前記領域の複数のプラグ信号伝送線とそれぞれ接続する複数のソケット信号伝送線が設けられ、前記複数のソケット信号伝送線は、複数の直径が異なる同心円であり、前記コネクタプラグが前記コネクタソケットに挿入された場合、前記外表面の各領域のプラグ信号伝送線は、前記内表面の対応する前記部分のソケット信号伝送線に接続されて、信号を伝送する。
【発明の効果】
【０００６】
本発明に係るコネクタアセンブリのコネクタプラグ及びコネクタソケットは、外表面に所定の数量の区域、内表面に所定の数量の区域に対応する数量の部分を形成することで、２種類の信号、４種類の信号又はそれ以上の信号を同時に伝送できる。
【図面の簡単な説明】
【０００７】
【図１】本発明に係るコネクタプラグを示す図である。
【図２】本発明に係るコネクタソケットを示す図である。
【発明を実施するための形態】
【０００８】
以下、図面に基づいて、本発明に係るコネクタアセンブリについて詳細に説明する。
【０００９】
図１及び図２を参照すると、本発明に係るコネクタアセンブリは、コネクタプラグ２０及びコネクタソケット３０を備える。
【００１０】
図１に示したように、コネクタプラグ２０は、略円錐台形の柱体であり、且つ外表面２１を有する。外表面２１は、円錐台形のコネクタプラグ２０の中心軸方向に沿って複数の領域に区画されている。本実施形態において、外表面２１は、第一領域２３、第二領域２５及び第三領域２７に区画され、第一領域２３は、コネクタプラグ２０の最上部（小径部）に位置し、第三領域２７は、コネクタプラグ２０の最下部（大径部）に位置し、第二領域２５は、第一領域２３と第三領域２７との間に位置し、第一領域２３と第二領域２５とは、絶縁領域２８によって離間し、第二領域２５と第三領域２７とは、他の絶縁領域２８によって離間している。
【００１１】
第一領域２３の外周には、複数のプラグ第一信号伝送線２３３が、互いに平行に設けられている。この複数のプラグ第一信号伝送線２３３は、コネクタプラグ２０の外周（周方向）に沿って全周にわたって形成された複数の直径が異なる同心円であり、中心軸方向で互いに離間している。複数のプラグ第一信号伝送線２３３は、第一種信号（例えば、パソコンとＵＳＢとの間で送受信される信号）を伝送することに用いられる。
【００１２】
第二領域２５の外周には、複数のプラグ第二信号伝送線２５３が、互いに平行に設けられている。複数のプラグ第二信号伝送線２５３は、コネクタプラグ２０の外周（周方向）に沿って全周にわたって形成された複数の直径が異なる同心円であり、中心軸方向で互いに離間している。複数のプラグ第二信号伝送線２５３は、第二種信号（例えば、映像信号）を伝送することに用いられる。
【００１３】
第三領域２７の外周には、複数のプラグ第三信号伝送線２７３が、互いに平行に設けられている。複数のプラグ第三信号伝送線２７３は、コネクタプラグ２０の外周（周方向）に沿って全周にわたって形成された複数の直径が異なる同心円であり、中心軸方向で互いに離間している。複数のプラグ第三信号伝送線２７３は、第三種信号（例えば、音声信号）を伝送することに用いられる。
【００１４】
コネクタソケット３０には、コネクタプラグ２０が挿入接続される。図２に示したように、コネクタソケット３０は、略円錐台形の孔であり、且つ内表面３１を有する。内表面３１は、円錐台形のコネクタソケット３０の中心軸方向に沿って複数の部分に区画されている。本実施形態において、内表面３１は、第一部分３３、第二部分３５及び第三部分３７に区画され、第一部分３３は、コネクタソケット３０の最上部（小径部）に位置し、第三部分３７は、コネクタソケット３０の最下部（大径部）に位置し、第二部分３５は、第一部分３３と第三部分３７との間に位置し、第一部分３３と第二部分３５とは、絶縁部分３８によって離間し、第二部分３５と第三部分３７とは、他の絶縁部分３８によって離間している。
【００１５】
第一部分３３には、前記プラグ第一信号伝送線２３３に対応し且つ平行な複数のソケット第一信号伝送線３３３が設けられている。複数のソケット第一信号伝送線３３３は、コネクタソケット３０の内周（周方向）に沿って全周にわたって形成された複数の直径が異なる同心円であり、中心軸方向で互いに離間している。複数のソケット第一信号伝送線３３３は、前記プラグ第一信号伝送線２３３と接続して第一種信号（例えば、パソコンとＵＳＢとの間で送受信される信号）を伝送する。
【００１６】
第二部分３５には、前記プラグ第二信号伝送線２５３に対応し且つ平行な複数のソケット第二信号伝送線３５３が設けられている。複数のソケット第二信号伝送線３５３は、コネクタソケット３０の内周（周方向）に沿って全周にわたって形成された複数の直径が異なる同心円であり、中心軸方向で互いに離間している。複数のソケット第二信号伝送線３５３は、前記プラグ第二信号伝送線２５３と接続して第二種信号（例えば、映像信号）を伝送する。
【００１７】
第三部分３７には、前記プラグ第三信号伝送線２７３に対応し且つ平行な複数のソケット第三信号伝送線３７３が設けられている。複数のソケット第三信号伝送線３７３は、コネクタソケット３０の内周（周方向）に沿って全周にわたって形成された複数の直径が異なる同心円であり、中心軸方向で互いに離間している。複数のソケット第三信号伝送線３７３は、前記プラグ第三信号伝送線２７３と接続して第三種信号（例えば、音声信号）を伝送する。
【００１８】
コネクタプラグ２０とコネクタソケット３０とを接続させる場合、まずコネクタプラグ２０をコネクタソケット３０に挿入する。この時、プラグ第一信号伝送線２３３とソケット第一信号伝送線３３３とは接続され、プラグ第二信号伝送線２５３とソケット第二信号伝送線３５３とは接続され、プラグ第三信号伝送線２７３とソケット第三信号伝送線３７３とは接続されて、三種類の信号が同時に伝送される。
【００１９】
本発明に係るコネクタアセンブリのコネクタプラグ２０及びコネクタソケット３０は、外表面２１に所定の数量の区域、内表面３１に所定の数量の区域に対応する数量の部分を形成することで、２種類の信号、４種類の信号又はそれ以上の信号を同時に伝送できる。
【００２０】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２１】
２０    コネクタプラグ
２１    外表面
２３    第一領域
２３３    プラグ第一信号伝送線
２５    第二領域
２５３    プラグ第二信号伝送線
２７    第三領域
２７３    プラグ第三信号伝送線
２８    絶縁領域
３０    コネクタソケット
３１    内表面
３３    第一部分
３３３    ソケット第一信号伝送線
３５    第二部分
３５３    ソケット第二信号伝送線
３７    第三部分
３７３    ソケット第三信号伝送線
３８    絶縁部分
【図１】
2013225512.tif 000003
【図２】
2013225512.tif 000004